(57)【要約】【課題】布団に汚染物が付着することを良好に防止できる汚染防止具および補助寝具を提供する。【解決手段】第１肩線５６から下方に延伸する左衿ぐり線６１付近で、衿４０の第１接合領域と、左後身頃２０の第１対応領域２０ａと、が連結されている。第２肩線５７から下方に延伸する右衿ぐり線６２付近で、衿４０の第２接合領域と、右後身頃３０の第２対応領域３０ａと、が連結されている。前衿ぐり線６３付近で、衿４０の第３接合領域と、前身頃１０の第３対応領域と、が連結されている。衿４０の中央部の高さは、好ましくは、１０ｃｍ以上１５ｃｍ以下である。【選択図】図１
0003213016.tif 000002
【実用新案登録請求の範囲】
【請求項１】
布団にくるまれる人が着用することによって、着用者の汚れが前記布団に付着することを防止する汚染防止具であって、
(a) 前身頃と、
(b) 左後身頃と、
(c) 右後身頃と、
(d) 衿と、
を備え、
前記左後見頃および前記前見頃は、第１脇線付近および第１肩線付近で連結され、
前記右後見頃および前記前見頃は、第２脇線付近および第２肩線付近で連結され、
前記衿は、一方向に延伸し、
(d-1) 左端部と、
(d-2) 右端部と、
(d-3) 前記左端部および右端部に挟まれた中央部と、
を有し、
前記第１肩線から下方に延伸する左衿ぐり線付近で、前記左端部の第１接合領域と、前記左後身頃の第１対応領域が連結され、
前記第２肩線から下方に延伸する右衿ぐり線付近で、前記右端部の第２接合領域と、前記右後身頃の第２対応領域と、が連結され、
前記第１および第２肩線の間に形成された前衿ぐり線付近で、前記中央部の第３接合領域と、前記前身頃の第３対応領域と、が連結されるとともに、
前記中央部の高さが、１０ｃｍ以上１５ｃｍ以下に設定されていることを特徴とする汚染防止具。
【請求項２】
請求項１に記載の汚染防止具において、
前記中央部の高さは、前記左端部および前記右端部の高さより大きくなるように設定されていることを特徴とする汚染防止具。
【請求項３】
請求項１または請求項２に記載の汚染防止具において、
前記衿は、キルトにより形成されていることを特徴とする汚染防止具。
【請求項４】
請求項１または請求項２に記載の汚染防止具において、
前記衿は、タオル地により形成されていることを特徴とする汚染防止具。
【請求項５】
布団にくるまれる人が着用する補助寝具であって、
(a) 前身頃と、
(b) 左後身頃と、
(c) 右後身頃と、
(d) キルトおよびタオル地を重ね合わせることにより形成されるとともに、前記タオル地が着用者側に配置された衿と、
を備え、
前記左後見頃および前記前見頃は、第１脇線付近および第１肩線付近で連結され、
前記右後見頃および前記前見頃は、第２脇線付近および第２肩線付近で連結され、
前記衿は、一方向に延伸し、
(d-1) 左端部と、
(d-2) 右端部と、
(d-3) 前記左端部および右端部に挟まれた中央部と、
を有し、
前記第１肩線から下方に延伸する左衿ぐり線付近で、前記左端部の第１接合領域と、前記左後身頃の第１対応領域が連結され、
前記第２肩線から下方に延伸する右衿ぐり線付近で、前記右端部の第２接合領域と、前記右後身頃の第２対応領域と、が連結され、
前記第１および第２肩線の間に形成された前衿ぐり線付近で、前記中央部の第３接合領域と、前記前身頃の第３対応領域と、が連結されるとともに、
前記中央部の高さが、１０ｃｍ以上１５ｃｍ以下に設定されていることを特徴とする補助寝具。
【請求項６】
請求項５に記載の補助寝具において、
前記中央部の高さは、前記左端部および前記右端部の高さより大きくなるように設定されていることを特徴とする補助寝具。
【考案の詳細な説明】
【技術分野】
【０００１】
本考案は、汚染防止具および補助寝具に関する。
【背景技術】
【０００２】
従来、寝具用肩カバーが知られている（例えば、特許文献１）。
【先行技術文献】
【特許文献】
【０００３】
【特許文献１】実用新案登録第３１３０４５０号公報
【考案の概要】
【考案が解決しようとする課題】
【０００４】
しかし、特許文献１の寝具用肩カバーを用いても、布団に汚染物が付着することを十分に防止することができない。
【０００５】
そこで、本考案では、布団に汚染物が付着することを良好に防止できる汚染防止具および補助寝具を提供することを目的とする。
【課題を解決するための手段】
【０００６】
上記の課題を解決するため、請求項１の考案は、布団にくるまれる人が着用することによって、着用者の汚れが前記布団に付着することを防止する汚染防止具であって、前身頃と、左後身頃と、右後身頃と、衿とを備え、前記左後見頃および前記前見頃は、第１脇線付近および第１肩線付近で連結され、前記右後見頃および前記前見頃は、第２脇線付近および第２肩線付近で連結され、前記衿は、一方向に延伸し、左端部と、右端部と、前記左端部および右端部に挟まれた中央部とを有し、前記第１肩線から下方に延伸する左衿ぐり線付近で、前記左端部の第１接合領域と、前記左後身頃の第１対応領域が連結され、前記第２肩線から下方に延伸する右衿ぐり線付近で、前記右端部の第２接合領域と、前記右後身頃の第２対応領域と、が連結され、前記第１および第２肩線の間に形成された前衿ぐり線付近で、前記中央部の第３接合領域と、前記前身頃の第３対応領域と、が連結されるとともに、前記中央部の高さが、１０ｃｍ以上１５ｃｍ以下に設定されていることを特徴とする。
【０００７】
また、請求項２の考案は、請求項１に記載の汚染防止具において、前記中央部の高さは、前記左端部および前記右端部の高さより大きくなるように設定されていることを特徴とする。
【０００８】
また、請求項３の考案は、請求項１または請求項２に記載の汚染防止具において、前記衿は、キルトにより形成されていることを特徴とする。
【０００９】
また、請求項４の考案は、請求項１または請求項２に記載の汚染防止具において、前記衿は、タオル地により形成されていることを特徴とする。
【００１０】
また、請求項５の考案は、布団にくるまれる人が着用する補助寝具であって、前身頃と、左後身頃と、右後身頃と、キルトおよびタオル地を重ね合わせることにより形成されるとともに、前記タオル地が着用者側に配置された衿とを備え、前記左後見頃および前記前見頃は、第１脇線付近および第１肩線付近で連結され、前記右後見頃および前記前見頃は、第２脇線付近および第２肩線付近で連結され、前記衿は、一方向に延伸し、左端部と、右端部と、前記左端部および右端部に挟まれた中央部とを有し、前記第１肩線から下方に延伸する左衿ぐり線付近で、前記左端部の第１接合領域と、前記左後身頃の第１対応領域が連結され、前記第２肩線から下方に延伸する右衿ぐり線付近で、前記右端部の第２接合領域と、前記右後身頃の第２対応領域と、が連結され、前記第１および第２肩線の間に形成された前衿ぐり線付近で、前記中央部の第３接合領域と、前記前身頃の第３対応領域と、が連結されるとともに、前記中央部の高さが、１０ｃｍ以上１５ｃｍ以下に設定されていることを特徴とする。
【００１１】
また、請求項６の考案は、請求項５に記載の補助寝具において、前記中央部の高さは、前記左端部および前記右端部の高さより大きくなるように設定されていることを特徴とする。
【考案の効果】
【００１２】
請求項１から請求項６に記載の考案によれば、布団にくるまれる着用者の口周りを衿の中央部で覆うことができる。これにより、着用者の顔付近の皮脂だけでなく、口から排出される呼気および液体物をも、衿の中央部で確実に捕捉することができる。そのため、皮脂や口から排出される汚染物が布団に付着することを効果的に防止することができる。
【００１３】
また、請求項５および請求項６に記載の考案によれば、皮脂や口から排出される汚染物が布団に付着することを効果的に防止するだけでなく、布団にくるまれる着用者の肩も良好に保温することができる。
【００１４】
特に、請求項２および請求項６に記載の考案において、衿の中央部の高さは、衿の左端部および右端部の高さより大きくなるように設定されている。そのため、皮脂や口から排出される汚染物を中央部で確実に捕捉することができる。
【００１５】
特に、請求項３から請求項６に記載の考案において、衿には比較的厚手のキルトまたはタオル地が、用いられている。これにより、皮脂や口から排出される汚染物を衿の中央部で、さらに良好に捕捉することができる。そのため、これら汚染物が布団に付着することをさらに効果的に防止することができる。
【図面の簡単な説明】
【００１６】
【図１】本考案の実施の形態における汚染防止具の構成の一例を示す背面図である。
【図２】本考案の実施の形態における汚染防止具の構成の一例を示す正面図である。
【図３】衿の構成の一例を示す背面図である。
【図４】汚染防止具の使用状態を説明するための背面図である。
【図５】汚染防止具の使用状態を説明するための正面図である。
【図６】本考案の実施の形態における汚染防止具の構成の他の例を示す背面図である。
【図７】本考案の実施の形態における汚染防止具の構成の他の例を示す正面図である。
【図８】衿の構成の他の例を示す背面図である。
【考案を実施するための形態】
【００１７】
以下、図面を参照しつつ本考案の実施の形態について詳細に説明する。
【００１８】
＜１．汚染防止具の構成＞
図１および図２は、それぞれ本考案の実施の形態における汚染防止具１００の構成を示す背面図および正面図である。図３は、衿４０の構成を示す背面図である。ここで、汚染防止具１００は、布団にくるまれる人が着用することによって、着用者の汚れが布団に付着することを防止するために用いられる。
【００１９】
図１および図２に示すように、汚染防止具１００は、主として、前身頃１０と、左後身頃２０と、右後身頃３０と、衿４０と、を備えている。なお、図１および以降の各図には、図面に記載された各構成要素の理解を助けるため、必要に応じて前後方向、左右方向、および上下方向を示す座標軸が付されている。
【００２０】
前身頃１０は、図２に示すように、第１肩線５６と、左袖ぐり線１１と、第１脇線５１と、裾線１５と、第２脇線５２と、右袖ぐり線１２と、第２肩線５７と、前衿ぐり線６３と、により規定されている。
【００２１】
また、左後身頃２０は、図１に示すように、第１肩線５６と、この第１肩線５６から下方に延伸する左衿ぐり線６１と、衿下線２３と、裾線２５と、第１脇線５１と、左袖ぐり線２１と、により規定されている。
【００２２】
さらに、右後身頃３０は、図１に示すように、第２肩線５７と、この第２肩線５７から下方に延伸する右衿ぐり線６２と、衿下線３３と、裾線３５と、第２脇線５２と、右袖ぐり線３２と、により規定されている。
【００２３】
そして、左後身頃２０および前身頃１０は、第１脇線５１付近および第１肩線５６付近で縫合されるとともに、右後身頃３０および前身頃１０は、第２脇線付近および第２肩線付近で縫合されている。
【００２４】
これにより、左袖ぐり線１１、２１により囲繞される開口として、左袖ぐり７１が形成される。また、右袖ぐり線１２、３２により囲繞される開口として、右袖ぐり７２が形成される。
【００２５】
ここで、本実施の形態において、前身頃１０、左後身頃２０、および右後身頃３０の生地としては、キルトが採用されても良いし、タオル地が採用されても良い。また、前身頃１０、左後身頃２０、および右後身頃３０のうちの一部の生地としてキルトが、残部の生地としてタオル地が、それぞれ採用されても良い。
【００２６】
衿４０は、一方向に延伸する短冊体である。図３に示すように、衿４０は、主として、左端部４１と、右端部４２と、左端部４１および右端部４２に挟まれた中央部４３と、を有している。
【００２７】
図１および図３に示すように、第１肩線５６から下方に延伸する左衿ぐり線６１付近で、左端部４１の第１接合領域４１ａ（図３参照）と、左後身頃２０の第１対応領域２０ａ（図１参照）と、が縫合されている。
【００２８】
また、図１および図３に示すように、第２肩線５７から下方に延伸する右衿ぐり線６２付近で、右端部４２の第２接合領域４２ａ（図３参照）と、右後身頃３０の第２対応領域３０ａ（図１参照）と、が縫合されている。
【００２９】
さらに、図２および図３に示すように、第１および第２肩線５６、５７の間に形成された前衿ぐり線６３付近で、中央部４３の第３接合領域４３ａ（図３参照）と、前身頃１０の第３対応領域１０ａ（図２参照）と、が縫合されている。
【００３０】
また、図３に示すように、左端部４１および右端部４２のそれぞれは、台形状とされている。左端部４１の高さ（上下方向の長さ）は、左端部４１の左端から中央部４３側に向かうに従って増大する。また、右端部４２の高さは、右端部４２の右端から中央部４３側に向かうに従って増大する。さらに、中央部４３の高さは、中央部４３の全域にわたって同様な値となるように設定されている。すなわち、中央部４３の高さは、左端部４１および右端部４２の高さより大きくなるように設定されている。
【００３１】
ここで、本実施の形態における中央部４３の高さは、好ましくは、１０ｃｍ以上１５ｃｍ以下である。また、本実施の形態において、衿４０は、キルトにより形成されても良いし、タオル地により形成されても良い。
【００３２】
また、衿４０は、キルトおよびタオル地を重ね合わせることにより形成されても良い。この場合、タオル地は、着用者側に配置される。これにより、着用者の肌触り感と、汚染物の捕捉力と、の両者を向上させることができる。
【００３３】
さらに、衿４０としてキルトおよびタオル地を重ね合わさせたものが用いられている場合、布団にくるまれる着用者の肩も良好に保温することができる。すなわち、汚染防止具１００の着用者が布団にくるまる場合、この汚染防止具１００は、着用者の肩の保温性に優れた補助寝具としても機能する。
【００３４】
図４および図５は、それぞれ汚染防止具の使用状態を説明するための背面図および正面図である。より具体的には、図４および図５において、汚染防止具１００は、トルソーに着用させられている。図４および図５に示すように、本実施の形態の汚染防止具１００は、着用者の口周りを衿４０（さらに具体的には、衿４０の中央部４３）によって、確実に覆うことができる。
【００３５】
＜２．本実施の形態の汚染防止具の利点＞
以上のように、本実施の形態の汚染防止具１００は、布団にくるまれる着用者の口周りを衿４０の中央部４３で覆うことができる。これにより、着用者の顔付近の皮脂だけでなく、口から排出される呼気および液体物をも、衿４０の中央部４３で確実に捕捉することができる。そのため、皮脂や口から排出される汚染物が布団に付着することを効果的に防止することができる。
【００３６】
また、本実施の形態の汚染防止具１００において、衿４０の中央部４３の高さは、衿４０の左端部４１および右端部４２の高さより大きくなるように設定されている。そのため、皮脂や口から排出される汚染物を中央部４３で確実に捕捉することができる。
【００３７】
さらに、本実施の形態の汚染防止具１００において、衿４０には、比較的厚手のキルトまたはタオル地が用いられている。これにより、皮脂や口から排出される汚染物を衿４０の中央部４３で、さらに良好に捕捉することができる。そのため、これら汚染物が布団に付着することをさらに効果的に防止することができる。
【００３８】
＜３．変形例＞
以上、本考案の実施の形態について説明してきたが、本考案は上記実施の形態に限定されるものではなく様々な変形が可能である。
【００３９】
（１）本実施の形態において、前身頃１０、左後身頃２０、右後身頃３０、衿４０は、縫合により連結されているものとして説明したが、これに限定されるものでない。例えば、前身頃１０、左後身頃２０、右後身頃３０、衿４０が、接着剤を用いた接着により連結されても良い。また、前身頃１０、左後身頃２０、右後身頃３０、衿４０のうちの一部が互いに縫合により連結され、残部が互いに接着剤を用いた接着により連結されても良い。
【００４０】
（２）また、本実施の形態において、中央部４３の高さは、左端部４１および右端部４２の高さより大きくなるように設定されているものとして説明したが、これに限定されるものでない。
【００４１】
図６および図７は、それぞれ本考案の実施の形態における汚染防止具２００の構成を示す背面図および正面図である。図８は、衿１４０の構成を示す背面図である。なお、汚染防止具１００、２００で同様な構成要素には、同一符号が付されている。図６から図８に示すように、左端部１４１、右端部１４２、および中央部１４３の高さは、衿４０の全域にわたって同様な値となるように設定されても良い。
【００４２】
ここで、中央部１４３の高さは、中央部４３と同様に、好ましくは、１０ｃｍ以上１５ｃｍ以下である。また、衿１４０は、衿４０と同様に、キルトにより形成されても良いし、タオル地により形成されても良い。
【００４３】
また、衿１４０は、衿４０と同様に、キルトおよびタオル地を重ね合わせることにより形成されても良い。この場合も、タオル地は、着用者側に配置される。これにより、着用者の肌触り感と、汚染物の捕捉力と、の両者を向上させることができる。
【００４４】
さらに、衿１４０としてキルトおよびタオル地を重ね合わさせたものが用いられている場合、衿４０と同様に、布団にくるまれる着用者の肩も良好に保温することができる。すなわち、汚染防止具２００の着用者が布団にくるまる場合、この汚染防止具２００は、汚染防止具１００と同様に、着用者の肩の保温性に優れた補助寝具としても機能する。
【符号の説明】
【００４５】
１０  前身頃
１０ａ  第３対応領域
２０  左後身頃
２０ａ  第１対応領域
３０  右後身頃
３０ａ  第２対応領域
４０、１４０  衿
４１、１４１  左端部
４２、１４２  右端部
４３、１４３  中央部
４１ａ  第１接合領域
４２ａ  第２接合領域
４３ａ  第３接合領域
５１  第１脇線
５２  第２脇線
５６  第１肩線
５７  第２肩線
６１  左衿ぐり線
６２  右衿ぐり線
６３  前衿ぐり線
１００、２００  汚染防止具
【図１】
0003213016.tif 000003
【図２】
0003213016.tif 000004
【図３】
0003213016.tif 000005
【図４】
0003213016.tif 000006
【図５】
0003213016.tif 000007
【図６】
0003213016.tif 000008
【図７】
0003213016.tif 000009
【図８】
0003213016.tif 000010